(57)【要約】【課題】蓋部の開閉に連動させてコ字状のインデックスカードを開閉する。【解決手段】情報記録媒体収納ケース１は、ケース本体部２と蓋部３がヒンジ４により回動開閉可能に連結されている。ケース本体部２および蓋部３の側壁内面に、収納した情報記録媒体カートリッジ１００の位置決めを行なう位置決めリブ４１を設ける。位置決めリブ４１とケース本体部２および蓋部３の内底面との間に、インデックスカード１０１の周縁部を挿入保持するカード保持空間部４４を設ける。【選択図】  図１
2004231203.tif 000002
【特許請求の範囲】
【請求項１】
ケース本体部と蓋部がヒンジにより回動開閉可能に連結されている情報記録媒体カートリッジ収納ケースにおいて、
前記ケース本体部およびケース本体部の側壁内面には、収納した記録媒体カートリッジの位置決めを行なう位置決めリブが設けられ、
前記位置決めリブと前記ケース本体部および蓋部の内底面との間には、インデックスカードの周縁部を挿入保持するカード保持空間部が設けられている
ことを特徴とする情報記録媒体カートリッジ収納ケース。
【請求項２】
請求項１に記載の情報記録媒体カートリッジ収納ケース内に収納されて使用されるインデックスカードであって、
前記情報記録媒体カートリッジ収納ケースのケース本体部の内底面上に重ね合わされ該内底面と前記位置決めリブとの間のカード保持空間部に挿入保持される第１のカード部と、該第１のカード部の一端部に第１の折曲部を介して連続し前記ケース本体部の側壁内面に重ね合わされる第２のカード部と、該第２のカード部の一端部に第２の折曲部を介して連続し前記蓋部の内底面上に重ね合わされ該内底面と前記位置決めリブとの間のカード保持空間部に挿入保持される第３のカード部と、を備えている
ことを特徴とするインデックスカード。
【請求項３】
前記第２のカード部は、蓋部を開いたときにケース本体部の側壁および蓋部の側壁に沿って折り曲げられる第３，第４の折曲部を備えている
ことを特徴とする請求項２に記載のインデックスカード。
【発明の詳細な説明】
【０００１】
【発明の属する技術分野】
本発明は、ディスクカートリッジ等の情報記録媒体を収納する情報記録媒体収納ケース及び該情報記録媒体収納ケース内に収納して使用されるインデックスカードに関するものである。
【０００２】
【従来の技術】
情報記録媒体収納ケース及び該情報記録媒体収納ケース内に収納して使用するインデックスカードとして、例えば図１３に示すものが知られている。前記情報記録媒体収納ケース２０１は、収納するコンパクトディスク（図示省略）に適応する形状に形成されたトレー２０２を嵌挿したケース本体部２０３に蓋部２０４がヒンジ（図示省略）により回動開閉可能に取付けられている。
【０００３】
蓋部２０４の側壁２０５，２０６の内側にはインデックスや取扱説明カード３０１を挿入保持するための突起２０７が設けられている。
【０００４】
一方、インデックスや取扱説明カード３０１は、収納するコンパクトディスクと略同形状の挿入シート部３０２と、舌片部３０３を備えている。
【０００５】
そして、インデックスや取扱説明カード３０１は、挿入シート部３０２を舌片部３０３の反対側から蓋部２０４の上面と突起２０７との間の隙間に差し込んで蓋部２０４の上面に保持されると共に、前記舌片部３０３をケース本体部２０３外に突出されるようになっている。（例えば、特許文献１）
【０００６】
【特許文献１】
特開２００１−３１５８７８号公報（特許請求の範囲、段落番号０００４、０００８、００１２）
【０００７】
【発明が解決しようとする課題】
ところで、上記従来の情報記録媒体収納ケース２０１及びインデックスや取扱説明カード３０１には、次に述べるような問題点があった。
（１）情報記録媒体収納ケース２０１は、トレー２０２を使用し、該トレー２０２に設けた凹部２０２ａ内に、カートリッジに収納されていない所謂剥き出しのコンパクトディスクを収納するものであって、カートリッジに収納されたディスク、即ちディスクカートリッジを収納することはできない。
【０００８】
トレー２０２を取り外して、ケース本体部２０３内にディスクカートリッジを収納することも考えられるが、収納したディスクカートリッジの位置決めを行なうことができない為に、ケース本体部２０３内でディスクカートリッジがガタついてしまう。
（２）蓋部２０４の側壁２０５，２０６の内側に設けた突起２０７は、あくまでもインデックスや取扱説明カード３０１を挿入保持するためのものであって、突起２０７でケース本体部２０３内に収納したディスクカートリッジの位置決めを行なうことはできない。
（３）インデックスや取扱説明カード３０１は、収納するコンパクトディスクと略同形状の挿入シート部３０２と舌片部３０３とからなっていて、蓋部２０４側にのみ配置される構成になっているために、ケース本体部２０３側に跨って配置することができない。ケース本体部２０３側に配置する為には、他のインデックスや取扱説明カード３０１を用意しなければならない。
【０００９】
本発明の目的は、ディスクカートリッジ等のカートリッジに収納された情報記録媒体カートリッジを位置決めリブで位置決めした状態で収納することができ、且つ位置決めリブでインデックスや取扱説明カードをケース本体部及び蓋部に挿入保持することのできる情報記録媒体収納ケースを提供することにある。
【００１０】
また、本発明の他の目的は、ケース本体部及び蓋部の両者に跨って配置することのできるインデックスや取扱説明カードを提供することにある。
【００１１】
【課題を解決するための手段】
請求項１の発明は、ケース本体部と蓋部がヒンジにより回動開閉可能に連結されている情報記録媒体カートリッジ収納ケースにおいて、
前記ケース本体部および蓋部の側壁内面に、収納した情報記録媒体カートリッジの位置決めを行なう位置決めリブを設けると共に、該位置決めリブと前記ケース本体部および蓋部の内底面との間に、インデックスカードの周縁部を挿入保持するカード保持空間部を設けることにより、
前記位置決めリブに、情報記録媒体カートリッジの位置決め作用と、インデックスカードの挿入保持作用を持たせて収納した情報記録媒体カートリッジがケース内でガタつかないようにすると共に、略コ字状に折り曲げたインデックスカードをケース本体部と蓋部の両方に挿入保持できるようにした。
【００１２】
請求項２の発明は、請求項１に記載の情報記録媒体カートリッジ収納ケース内に収納されて使用されるインデックスカードであって、
前記情報記録媒体カートリッジ収納ケースのケース本体部の内底面上に重ね合わされ該内底面と前記位置決めリブとの間のカード保持空間部に挿入保持される第１のカード部と、該第１のカード部の一端部に第１の折曲部を介して連続し前記ケース本体部の側壁内面に重ね合わされる第２のカード部と、該第２のカード部の一端部に第２の折曲部を介して連続し前記蓋部の内底面上に重ね合わされ該内底面と前記位置決めリブとの間のカード保持空間部に挿入保持される第３のカード部と、を設けることにより、
前記第１のカード部をケース本体部の内底面上に位置決めリブで保持し、第２のカード部をケース本体部の側壁内面に沿わせ、第３のカード部を蓋部の内底面上に位置決めリブで保持可能にした。
【００１３】
請求項３の発明は、請求項２のインデックスカードにおいて、
前記第２のカード部に、蓋部を開いたときにケース本体部の側壁および蓋部の側壁に沿って折り曲げられる第３，第４の折曲部を設けることにより、
ケース本体部の側壁と蓋部の側壁がヒンジで連結されているタイプの情報記録媒体収納ケースにおいて蓋部を開いた場合でもヒンジの屈曲に追従して前記ケース本体部の側壁と蓋部の側壁の内面にそって前記第２のカード部が折り曲げられるようにした。
【００１４】
【発明の実施の形態】
図１〜図９は、第１の実施例を示す。この実施例は、蓋を閉じたときにケース本体部と蓋部の側壁の先端面が互いに突合わされるようになっているタイプの情報記録媒体カートリッジ収納ケース（以下、単にカートリッジ収納ケースと称する）に本発明を適用した場合を示す。
【００１５】
図１は全開状態にしたカートリッジ収納ケース１の斜視図、図２は全閉状態にしたカートリッジ収納ケース１の斜視図、図３は位置決めリブ部分の拡大斜視図、図４は成型金型の要部の断面図、図５（Ａ）はインデックスカードの平面図、図５（Ｂ）はインデックスカードの側面図である。
【００１６】
図１に示すように、カートリッジ収納ケース１は、１リールデータカートリッジ１００を収納するケースとして構成されている。
【００１７】
前記カートリッジ収納ケース１は、ケース本体部（下ハーフ）２に蓋部（上ハーフ）３がヒンジ４により回動開閉可能に連結されている。
【００１８】
ケース本体部２は、略四角形状の底板２１と、該底板２１の四辺部に立設された前，後の側壁２２，２３および左，右の側壁２４，２５を備えている。
【００１９】
底板２１は、収納される１リールデータカートリッジ１００の上下の主面の面積よりも若干大き目に形成されている。また、前，後、左，右の側壁２２〜２５の高さＨは、１リールデータカートリッジ１００の厚みＴの半分よりも若干大き目に形成されている。
【００２０】
前方の側壁２２の内周面側の両側部には、次に説明する蓋部３に設けた弾性舌片３６が挿入される舌片挿入部２６が設けられ、該舌片挿入部２６の下端には、前記弾性舌片３６に設けた係合凸部３７が係合する係合凹部２７が設けられている。また、左，右の側壁２４，２５と前方の側壁２２とのコーナー部には、蓋部３との位置決め用の凸部２８が設けられている。
【００２１】
蓋部３は、ケース本体部２と同様に略四角形状の底板３１と、該底板３１の四辺部に立設された前，後の側壁３２，３３および左，右の３４，３５を備えている。
【００２２】
前方の側壁３２の内周面側の両側部には、前記ケース本体部２に設けた舌片挿入部２６に挿入される弾性舌片３６が設けられていると共に、該弾性舌片３６の先端部には前記嵌合部２７に嵌合する係合突起３７が設けられている。
【００２３】
ケース本体部２と蓋部３は、互いの後方の側壁２３，３３の上端部が薄肉のヒンジ４によって連結されている。そして、図１に示す全開状態から蓋部３を閉じる方向に回動させると、図２に示すように、蓋部３の前，後、左，右の側壁３２〜３５の先端面と、ケース本体部２の前，後、左，右の側壁２２〜２５の先端面とが互いに突き合わされてケース本体部２と蓋部３は閉じられた状態になる。このとき、ケース本体部２の左，右の側壁２４，２５と前方の側壁２２とのコーナー部に設けた位置決め用の凸部２８が、蓋部３の左，右の側壁３４，３５と前方の側壁３２とのコーナー部３８に係合してケース本体部２と蓋部３の位置決めが成されると共に、蓋部３に設けた弾性舌片３６のの先端部の係合凸部３７が前記ケース本体部２の舌片挿入部２６の下端に設けた係合凹部２７に係合して蓋部３がケース本体部２側に係止され、閉蓋状態に維持される。
【００２４】
図１に示すように、ケース本体部２および蓋部３は、左右の側壁２４，２５、３４，３５の内面に、収納した１リールデータカートリッジ１００の位置決めを行なう複数の位置決めリブ４１を備えている。
【００２５】
図３に拡大して示すように、位置決めリブ４１は、傾斜面４２と、該傾斜面４２に連続する垂直面４３と、を備えていて、前記傾斜面４２で１リールデータカートリッジ１００の挿入をガイドし、前記垂直面４３で１リールデータカートリッジ１００の位置決めを行なうようになっている。
【００２６】
位置決めリブ４１は、ケース本体部２および蓋部３の底板２１，３１から離間した状態に設けられていて、該位置決めリブ４１の下端とケース本体部２および蓋部３の底板２１，３１の内底面との間には、次に説明するインデックスカード１０１の周縁部を挿入保持するカード保持空間部（隙間）４４が設けられている。
【００２７】
前記カートリッジ収納ケース１は、可撓性に優れ、且つ引っ張り伸び率の高いポリプロピレン（ＰＰ）やポリエチレン（ＰＥ）等の透明な熱可塑性樹脂により一体的に射出成形されていて、収納したインデックスカード１０１を外部から透視できるようになっている。なお、図３において、４５は前記位置決めリブ４１の下部にカード保持空間部４４を形成するための孔部である。
【００２８】
図４は、カートリッジ収納ケース１の成型装置の一例の要部を示す断面図である。成型装置３０１は、固定金型３０２と可動金型３０３とを備えていて、これら固定金型３０２と可動金型３０３との間に形成されたキャビティ３０４内に溶融樹脂を注入することによりカートリッジ収納ケース１を成型するようになっている。前記固定金型３０２は、キャビティ３０４内に突出する凸部３０５を備えていて、該凸部３０５でカートリッジ収納ケース１に孔部４５とカード保持空間部４４を形成する。
【００２９】
図５（Ａ），（Ｂ）に示すように、インデックスカード１０１は、ケース本体部２の底板２１の内面上に重ね合わされ、前記カード保持空間部４４に周縁部が挿入保持される第１のカード部１０２と、該第１のカード部１０２の一端部に第１の折曲部１０３を介して連続していて前記ケース本体部２の後方の側壁２３の内面および蓋部３の後方の側壁３３の内面に重ね合わされる第２のカード部１０４と、該第２のカード部１０４の一端部に第２の折曲部１０５を介して連続していて、前記蓋部３の底板３１の内面上に重ね合わされ、前記カード保持空間部４４に周縁部が挿入保持される第３のカード部１０６と、を備えている
第２のカード部１０４には、カートリッジ収納ケース１のヒンジ４に追従して折り曲げられる第３，第４の折曲部１０７，１０８が設けられている。また、第３のカード部１０６には、第２の折曲部１０５に沿って第５の折曲部１０９が設けられている。第５の折曲部１０９は、図８に示すように、蓋部３を開いたときに、第２の折曲部１０５が蓋部３の後方の側壁３３側にずれるのを補償し、該側壁３３と底板３１の間のコーナー部分において、第３のカード部１０６を容易に折り曲げるためのものである。
【００３０】
第１のカード部１０２は、ケース本体部２の底板２１の内面と略同じ大きさに形成されている。第２のカード部１０４は、ケース本体部２の後方の側壁２３の内面と蓋部３の後方の側壁３３の内面を合わせた大きさに形成されている。また、第３のカード部１０６は、蓋部３の底板３１の内面と略同じ大きさに形成されている。
【００３１】
前記インデックスカード１０１は、厚紙等により形成されていて、前記第１の折曲部１０３、第２の折曲部１０５、第３〜第５の折曲部１０７〜１０９で容易に折り曲げることができるようになっている。
【００３２】
次に、カートリッジ収納ケース１およびインデックスカード１０１の作用について説明する。
【００３３】
カートリッジ収納ケース１へのインデックスカード１０１の取付けは、例えば以下のような手順で行なわれる。先ず、図６に示すように、インデックスカード１０１を第１の折曲部１０３、第２の折曲部１０５で略コ字状に折り曲げる。
【００３４】
次に、図７に示すように、インデックスカード１０１の第１のカード部１０２をケース本体部２の底板２１の内面上に重ね合わせて、前記第１のカード部１０２の周縁部を、ケース本体部２に設けた位置決めリブ４１の下端とケース本体部２の底板２１の間のカード保持空間部４４に挿入保持する。
【００３５】
そして、前記インデックスカード１０１の第２のカード部１０４をケース本体部２の後方の側壁２３の内面に沿わせた後に、２点鎖線で示すように、前記側壁２３の上端部において第３の折曲部１０７で水平方向に略直角に折り曲げた後、第４の折曲部１０８で垂直方向に略直角に折り返して、蓋部３の後方の側壁３３の内面に沿わせた後、前記第５の折曲部１０９で第３のカード部１０６を折り曲げて蓋部３の底板３１の内面上に重ね合わせる。そして、前記第３のカード部１０６の周縁部を、ケース本体部３に設けた位置決めリブ４１の下端とケース本体部３の底板３１の間のカード保持空間部４４に挿入保持する。なお、蓋部３を閉じた状態から開いた状態にしたときに、前記第５の折曲部１０９が、蓋部３の後方の側壁３３と底板３１の間のコーナー部分に位置するのは、蓋部３を開くと第２のカード部１０４が第３，第４の折曲部１０７，１０８でヒンジ４を覆うように折り曲げられ、第２のカード部１０４が引っ張られた状態になるからである。
【００３６】
上述のようにして、カートリッジ収納ケース１へインデックスカード１０１を取り付けた後に、ケース本体部２に１リールデータカートリッジ１００を挿入すれば、１リールデータカートリッジ１００は、位置決めリブ４１の傾斜面４２でガイドされながらケース本体部２内に挿入されて行って、垂直面４３で位置決めされる。
【００３７】
１リールデータカートリッジ１００をケース本体部２内に挿入した後、蓋部３をヒンジ４を支点にして閉方向に回動させれば、図９に示すように、ケース本体部２の側壁２２〜２５と蓋部３の側壁３２〜３５の先端面が互いに突合わされると共に、蓋部３に設けた弾性舌片３６がケース本体部２に設けた舌片挿入部２６に挿入され、弾性舌片３６の先端部の係合凸部３７が前記ケース本体部２の舌片挿入部２６に設けた係合凹部２７に係合して蓋部３がケース本体部２側に係止され、閉蓋状態に維持された状態になる。
【００３８】
また、蓋部３を開く際には、ケース本体部２の前方の側壁２２と蓋部３の前方の側壁３２の間の開閉操作部５１に爪先等を挿入して、両者を抉じ開けるようにすれば、前記弾性舌片３６の先端部の係合凸部３７が前記ケース本体部２の舌片挿入部２６に設けた係合凹部２７から抜け出て蓋部３のロックが解除され、蓋部３はヒンジ４を支点にして開方向に回動する。
【００３９】
蓋部３が開方向に回動すると、蓋部３の内底面上に位置決めリブ４１で保持されているインデックスカード１０１の第３のカード部１０６が蓋部３の開閉に追随して自動的に開いた状態になるので、ケース本体部２から１リールデータカートリッジ１００を容易に取出すことが可能になる。
【００４０】
図１０〜図１２は、第２の実施例を示す。この第２の実施例のカートリッジ収納ケース１は、蓋を閉じたときにケース本体部２の左右の側壁２４、２５の内側に蓋部３の左右の側壁３４，３５が重なり合うようになっている場合を示す。
【００４１】
第２の実施例のカートリッジ収納ケース１において、ケース本体部２は、略四角形状の底板２１と、該底板２１の三辺部に立設された後方の側壁２３と左，右の側壁２４，２５を備えている。
【００４２】
底板２１は、収納される１リールデータカートリッジ１００の上下面の面積よりも若干大き目に形成されている。また、後、左，右の側壁２３〜２５の高さＨは、１リールデータカートリッジ１００の厚みＴよりも若干大き目に形成されている。
【００４３】
一方、蓋部３は、ケース本体部２の底板２１と略同じ大きさの底板３１と、該底板３１の三辺部に立設された前方の側壁３２と左，右の側壁３４，３５を備えている。前記蓋部３の前方の側壁３２は、ケース本体部２の側壁２３〜２５の高さＨと略同じ高さに形成され、左，右の側壁３４，３５は、ケース本体部２の側壁２３〜２５の高さＨの略１／２の高さに形成されている。
【００４４】
ケース本体部２と蓋部３は、ケース本体部２の後方の側壁２３の上端部と、蓋部３の底板３１の一辺部とが薄肉のヒンジ４によって連結されていて、蓋部３を閉じた状態にすると、ケース本体部２の左右の側壁２４、２５の内側に蓋部３の左右の側壁３４，３５が重なり合うようになっていると共に、前記蓋部３の前方の側壁３２の先端の両側に設けた係合部６１が前記ケース本体部２の底板２１の一辺２１ａの両側の被係合部６２に係合して蓋部３はケース本体部２に係止された状態に維持されるようになっている。また、蓋部３の前方の側壁３２の先端の中央部には凹部６３が設けられていて、蓋部３を閉じた状態にすると前記凹部６３にケース本体部２の底板２１の一辺２１ａの中央部に設けた凸部６４が嵌合してケース本体部２に対して蓋部３が位置決めされた状態になる。
【００４５】
ケース本体部２および蓋部３は、左右の側壁２４，２５、３４，３５の内面に、収納する１リールデータカートリッジ１００の位置決めを行なう複数の位置決めリブ４１を備えている。
【００４６】
位置決めリブ４１の構成および作用、効果は、第１の実施例の場合と同様であるので同一構成部分には同一符合を付して重複する説明は省略する。
【００４７】
なお、実施例では、本発明の記録媒体収納ケース１を１リールデータカートリッジ１０１を収納するケースとして構成した場合を示したが、収納するカートリッジは、１リールデータカートリッジに限られるものではなく、２リールデータカートリッジや、その他の情報記録媒体カートリッジであってもよい。
【００４８】
【発明の効果】
本発明には次に述べるような効果がある。
（１）請求項１の情報記録媒体カートリッジ収納ケースは、ケース本体部と蓋部の側壁内面に、収納した情報記録媒体カートリッジの位置決めを行なう位置決めリブを設けると共に、該位置決めリブと前記ケース本体部および蓋部の内底面との間に、インデックスカードの周縁部を挿入保持するカード保持空間部を設けることにより、前記位置決めリブに、情報記録媒体カートリッジの位置決め作用と、インデックスカードの挿入保持作用を持たせ、収納した情報記録媒体カートリッジがケース内でガタつかないようにすると共に、インデックスカードをケース本体部と蓋部の両方に挿入保持し、蓋部の開閉に追随させてインデックスカードを開閉させることができる。
（２）請求項２のインデックスカードは、請求項１に記載の情報記録媒体カートリッジ収納ケースのケース本体部の内底面上に重ね合わされ該内底面と前記位置決めリブとの間のカード保持空間部に挿入保持される第１のカード部と、該第１のカード部の一端部に第１の折曲部を介して連続し前記上，ケース本体部の側壁内面に重ね合わされる第２のカード部と、該第２のカード部の一端部に第２の折曲部を介して連続し前記ケース本体部の内底面上に重ね合わされ該内底面と前記位置決めリブとの間のカード保持空間部に挿入保持される第３のカード部と、を備えているので、前記第１のカード部をケース本体部の内底面上に位置決めリブで保持し、第２のカード部を介して前記第１のカード部と一体に形成されている第３のカード部を蓋部の内底面上に位置決めリブで保持することにより、一枚で情報記録媒体カートリッジ収納ケースのケース本体部と蓋部の両者に跨らせた状態で配置することができる。
（３）請求項３のインデックスカードは、請求項２のインデックスカードにおいて、前記第２のカード部に、第３，第４の折曲部を設けたので、蓋部を開くと、ケース本体部の側壁と蓋部の側壁とがヒンジ部分で折れ曲がるタイプの情報記録媒体収納ケースにおいても前記側壁の屈曲に追従させて第２のカード部を容易に折り曲げることができる。
【図面の簡単な説明】
【図１】第１の実施例のカートリッジ収納ケースの斜視図（蓋を開いた状態）。
【図２】第１の実施例のカートリッジ収納ケースの斜視図（蓋を閉じた状態）。
【図３】位置決めリブ部分の拡大図。
【図４】成型装置の要部の断面図。
【図５】（Ａ）はインデックスカードの平面図、（Ｂ）はインデックスカードの側面図。
【図６】インデックスカードをコ字状に折り曲げた状態の斜視図。
【図７】インデックスカードの取り付けを示す説明図。
【図８】インデックスカードの取り付けて蓋部を全開した状態の要部の断面図。
【図９】カートリッジを収納して蓋部を閉じた状態の要部の断面図。
【図１０】第１の実施例のカートリッジ収納ケースの斜視図（蓋を開いた状態）。
【図１１】インデックスカードを取り付け、カートリッジを収納した状態の斜視図。
【図１２】蓋部を閉じた状態の要部の断面図。
【図１３】従来例の斜視図。
【符号の説明】
１…情報記録媒体収納ケース、２…ケース本体部、３…蓋部、４…ヒンジ部、２１…ケース本体部の底板、２２〜２５…ケース本体部の側壁、３１…蓋部の底板、３２〜３５…蓋部の側壁、４１…位置決めリブ、４４…カード保持空間、１０１…インデックスカード、１０２…第１のカード部、１０３…第１の折曲部、１０４…第２のカード部、１０５…第２の折曲部、１０６…第３のカード部、１０７…第３の折曲部、１０８…第４の折曲部、１０９…第５の折曲部。
【図１】
2004231203.tif 000003
【図２】
2004231203.tif 000004
【図３】
2004231203.tif 000005
【図４】
2004231203.tif 000006
【図５】
2004231203.tif 000007
【図６】
2004231203.tif 000008
【図７】
2004231203.tif 000009
【図８】
2004231203.tif 000010
【図９】
2004231203.tif 000011
【図１０】
2004231203.tif 000012
【図１１】
2004231203.tif 000013
【図１２】
2004231203.tif 000014
【図１３】
2004231203.tif 000015